(57)【要約】【課題】  除菌、抗菌及び消臭ができるドライヤーを提供すること。【解決手段】  一端に吸入口２ａ及び他端に吹出口２ｂを有する筒状の本体ケース２の内部３に、送風手段４、５を設けたドライヤーであって、前記本体ケース３内に、銀イオンを含んだミストを発生させるミスト発生装置Ｓｗを設けて、吹出口から銀イオンミストを吐出させる。また、ミスト発生装置Ｓｗは、内部に水及び銀ペレットを収容し出口に吸水部材７を装着したタンク６と、吸水部材７に接触して吸水部材７から漏出する水をミスト化して噴出させる超音波励振器８とを有している。【選択図】  図１
2009136305.tif 000002
【特許請求の範囲】
【請求項１】
一端に吸入口及び他端に吹出口を有する筒状の本体ケースの内部に、送風手段を設けたドライヤーにおいて、
前記本体ケース内に、銀イオンを含んだミストを発生させるミスト発生装置を設けて、前記吹出口から銀イオンミストを吐出させることを特徴とするドライヤー。
【請求項２】
前記ミスト発生装置は、内部に水及び銀ペレットを収容し出口に吸水部材を装着したタンクと、前記吸水部材に接触して該吸水部材から漏出する水をミスト化して噴出させる超音波励振器とを有していること特徴とする請求項１に記載のドライヤー。
【請求項３】
前記タンクは、前記本体ケースに着脱自在な固着手段により交換自在に装着されていることを特徴とする請求項２に記載のドライヤー。
【請求項４】
一端に吸入口及び他端に吹出口を有する筒状の本体ケースの内部に、通風路を設けたドライヤーにおいて、
前記本体ケースは、前記通風路を仕切り部により、第１吸入口及び第１吹出口を有する第１通風路と、第２吸入口及び第２吹出口を有する第２通風路とに仕切り、前記第１通風路には温風を発生させる温風発生装置、前記第２通風路には銀イオンを含むミストを発生させるミスト発生装置をそれぞれ配設して、これらの温風発生装置及びミスト発生装置を制御装置により制御して、前記第１吹出口から温風又は前記第２吹出口から銀イオンミストを吐出させることを特徴とするドライヤー。
【請求項５】
前記温風発生装置は、前記第１吸入口から空気を吸引して前記第１吹出口から吐出させる第１送風手段と、前記第１送風手段から送風された空気を所定温度に加温する加熱手段と、マイナスイオンを発生するイオン発生器とを有し、前記ミスト発生装置は、内部に水及び銀ペレットを収容し出口に吸水部材を装着したタンクと、前記吸水部材に接触して該吸水部材から漏出する水をミスト化して噴出させる超音波励振器とを有していること特徴とする請求項４に記載のドライヤー。
【請求項６】
前記第２吹出口の開口面積を前記第１吹出口の開口面積より大きくしたことを特徴とする請求項４に記載のドライヤー。
【請求項７】
前記タンクは、前記本体ケースに着脱自在な固着手段により交換自在に装着されていることを特徴とする請求項５に記載のドライヤー。
【請求項８】
一端に吸入口及び他端に吹出口を有する筒状の本体ケースの内部に、通風路を設けたドライヤーにおいて、
前記本体ケースは、前記通風路を仕切り部により、第１吹出口を有する第１通風路と、第２吹出口を有する第２通風路とに仕切るとともに、前記仕切り部の一部にシャッタを設け、前記第１通風路には温風を発生させる温風発生装置、前記第２通風路には銀イオンミストを発生させるミスト発生装置をそれぞれ配設して、これらの温風発生装置及びミスト発生装置並びにシャッタを制御装置により制御して、前記第１吹出口から温風又は前記第２吹出口から銀イオンを含むミストを吐出させることを特徴とするドライヤー。
【請求項９】
前記温風発生装置は、前記吸入口から空気を吸引して前記第１吹出口から吐出させる第１送風手段と、前記第１送風手段から送風された空気を所定温度に加温する加熱手段と、マイナスイオンを発生するイオン発生器とを有し、前記ミスト発生装置は、内部に水及び銀ペレットを収容し出口に吸水部材を装着したタンクと、前記吸水部材に接触して該吸水部材から漏出する水をミスト化して噴出させる超音波励振器とを有していること特徴とする請求項８に記載のドライヤー。
【請求項１０】
前記タンクは、前記本体ケースに着脱自在な固着手段により交換自在に装着されていることを特徴とする請求項９に記載のドライヤー。
【発明の詳細な説明】
【技術分野】
【０００１】
本発明はドライヤーに係り、詳しくは除菌、抗菌及び消臭などができ、しかも手軽に持ち運びができるハンディータイプの小型ドライヤーに関するものである。
【背景技術】
【０００２】
手軽に持ち運びができるハンディータイプの小型ドライヤーとして、例えばヘアドライヤーがある。このヘアドライヤーは、近年、皮膚や毛髪に優しく作用する媒体を送風できるものが開発されて市販されている。例えば、下記特許文献１〜３に開示されているヘアドライヤーは、マイナスイオンを含む温風などを吐出できるものである。
【０００３】
以下、図６を参照して、下記特許文献１に開示されたヘアドライヤーを説明する。なお、図６は下記特許文献１に開示されたヘアドライヤーの断面図である。
【０００４】
下記特許文献１に開示されたヘアドライヤー２０は、筒状のケーシング本体２１を有し、このケーシング本体２１は、内部に送風ファン２２が収容されると共に、この送風ファン２２の下流が仕切り板２４で仕切られて上下方向にそれぞれ通路２３が形成された構成を有している。これらの通路２３のうち、上方の通路２３ａにはヒータ２７、下方の通路２３ｂにはオゾン発生装置２８がそれぞれ配設されている。
【０００５】
このヘアドライヤー２０は、電源スイッチＳＷがオンされると送風ファン２２が回転し、この回転により吸気口から空気が吸い込まれて、この吸い込まれた空気が仕切り板２４で上下方向の通路２３ａ、２３ｂへそれぞれ分流される。このうち、上方の通路２３ａを通過する空気は、ヒータ２７で加温され、また、下方の通路２３ｂを通過する空気は、オゾン発生装置２８からのオゾンが混入されて、これらが吹出口２１ａ部分で合流されて、この吹出口２１ａからオゾンを含む温風となって吐出されるようになっている。
【０００６】
また、下記特許文献２には、同様の筒状のケーシング本体を有し、このハウジング本体は、その内部に空気流路とイオン流路とが別々に設けられたヘアドライヤーが開示されている。更に、下記特許文献３には、イオンミストをナノサイズにして送風できるヘアドライヤーが開示されている。
【特許文献１】特開平８−４７４１５号公報（段落〔０００６〕〜〔００１３〕、図１）
【特許文献２】特開２００２−１９１４２６号公報（段落〔０００７〕〜〔００１１〕、図１）
【特許文献３】特開２００５−３０４９６１号公報（段落〔０００４〕〜〔０００６〕、図１）
【発明の開示】
【発明が解決しようとする課題】
【０００７】
上記特許文献１に開示されたヘアドライヤーは、オゾンを含む温風が送風されるので、このオゾンの作用により毛髪の過度の乾燥を防ぎながら毛髪の損傷を防止できる。また、上記特許文献２、３に開示されたヘアドライヤーは、マイナスイオンを含む温風が送風されるので、毛髪の乾燥やセットだけでなく、マイナスイオンを含む温風によって毛髪のキメ細かなトリートメントをも行うことができる。
【０００８】
近年は、生活レベルが向上し、これに伴って個々人の生活様式も多様化して、ユーザからは日常頻繁に使用する身近な機器に対して様々な要求がメーカーに出されている。その要求の根源は、病気にかからずに毎日を健康に過ごすことができ、しかもいつまでも若いときの美肌及び美髪を長く維持したいという願望に基づくものである。そして、メーカーには、このような願望を実現できる製品作りが求められている。
【０００９】
上記特許文献１〜３に開示されたヘアドライヤーは、後者の要望に対応した製品の一つとなっており、前者の要望に対しては、各種の除菌剤及び殺菌剤並びに健康器具が開発され既に多く市販されている。
【００１０】
一方、日常の生活環境下において、身の回りには、目に見えないたくさんの細菌が存在している。これらの細菌のうち、乳酸菌などは人間に有用なものとなっているが、一方で有害な細菌、例えば大腸菌、サルモネラ菌及び黄色ブドウ球菌などの細菌も多く存在している。これらの有害な細菌は、肉や魚などの食材或いはこれらの食材を料理する道具、さらに、これらの道具などに触れた手或いは被服などに付着して様々なルートを通って感染することがある。このような細菌は、その繁殖が極めて速くしかもその感染ルートも種々雑多となって特定が困難となっているが、感染予防策としては、日常の手洗い或いは調理具などの水洗いが主流となっている。しかしながら、このような水洗いだけで感染予防がし難いのも事実であり、そこで更なる感染予防策としては、各種の除菌剤或いは殺菌剤などが開発されて、これらの除菌剤などを散布するスプレー器具も開発され既に市販されている。
【００１１】
また、食器類のうち、例えばスプーン、フォーク、皿などは、銀製のものが古くから使用されている。この銀製食器が古くから好んで使用される理由は、銀が高価で高級品となり一部の富裕層に好んで使用されものである他に、この銀が除菌、抗菌などの作用を有し、この銀の作用により食中毒などが未然に防止することができることも理由となっている。特に銀イオンは、各種のバクテリアなどの細菌に強く吸着して、バクテリアの細胞酵素をブロッキングして死滅させる効能を有するとも言われている。また、この銀イオンは衣類などについたタバコの臭いなどを消す消臭作用をも有している。さらに、この銀イオンは塩素系薬品のような機械の腐食、塩素系薬品特有の皮膚への刺激感や薬品臭の問題及び環境汚染の問題などが無くしかも極めて安全性が高いことなどから、近年は、食器の他に製菓材料、清涼剤或いは浄水器などにも広範囲に使用されている。
【００１２】
そこで、本発明者は、このような銀イオンが有する作用・効能に着目して、殆ど毎日身だしなみなどを整えるのに使用するヘアドライヤーに、本来の温風の他に銀イオンを吐出できるようにすれば、髪の毛の乾燥及びトリートメントする際に、生活環境下で多く存在する細菌を除菌・抗菌し、また衣服などに付いた煙草などの臭いなどの消臭が極めて簡単・手軽に行うことがきることから、試行錯誤をした結果、簡単に銀イオンを含むミストを吐出させることが出来る装置を想到し、ヘアドライヤーとしてだけでなくハンディータイプの小型ドライヤーとしても使用できるドライヤーを完成させるに至ったものである。
【００１３】
そこで、本発明はこのような背景に鑑みてなされたもので、本発明の目的は、除菌、抗菌及び消臭ができるドライヤーを提供することにある。
【００１４】
本発明の他の目的は、除菌、抗菌及び消臭と共に髪の手入れができるドライヤーを提供することにある。
【課題を解決するための手段】
【００１５】
上記目的を達成するために、請求項１に記載のドライヤーの発明は、一端に吸入口及び他端に吹出口を有する筒状の本体ケースの内部に、送風手段を設けたドライヤーにおいて、前記本体ケース内に、銀イオンを含んだミストを発生させるミスト発生装置を設けて、前記吹出口から銀イオンミストを吐出させることを特徴とする。
【００１６】
また、請求項２の発明は、請求項１に記載のドライヤーにおいて、前記ミスト発生装置は、内部に水及び銀ペレットを収容し出口に吸水部材を装着したタンクと、前記吸水部材に接触して該吸水部材から漏出する水をミスト化して噴出させる超音波励振器とを有していること特徴とする。
【００１７】
また、請求項３の発明は、請求項２に記載のドライヤーにおいて、前記タンクは、前記本体ケースに着脱自在な固着手段により交換自在に装着されていることを特徴とする。
【００１８】
請求項４に記載のドライヤーの発明は、一端に吸入口及び他端に吹出口を有する筒状の本体ケースの内部に、通風路を設けたドライヤーにおいて、前記本体ケースは、前記通風路を仕切り部により、第１吸入口及び第１吹出口を有する第１通風路と、第２吸入口及び第２吹出口を有する第２通風路とに仕切り、前記第１通風路には温風を発生させる温風発生装置、前記第２通風路には銀イオンを含むミストを発生させるミスト発生装置をそれぞれ配設して、これらの温風発生装置及びミスト発生装置を制御装置により制御して、前記第１吹出口から温風又は前記第２吹出口から銀イオンミストを吐出させることを特徴とする。
【００１９】
また、請求項５の発明は、請求項４に記載のドライヤーにおいて、前記温風発生装置は、前記第１吸入口から空気を吸引して前記第１吹出口から吐出させる第１送風手段と、前記第１送風手段から送風された空気を所定温度に加温する加熱手段と、マイナスイオンを発生するイオン発生器とを有し、前記ミスト発生装置は、内部に水及び銀ペレットを収容し出口に吸水部材を装着したタンクと、前記吸水部材に接触して該吸水部材から漏出する水をミスト化して噴出させる超音波励振器とを有していること特徴とする。
【００２０】
また、請求項６の発明は、請求項４に記載のドライヤーにおいて、前記第２吹出口の開口面積を前記第１吹出口の開口面積より大きくしたことを特徴とする。
【００２１】
また、請求項７の発明は、請求項５に記載のドライヤーにおいて、前記タンクは、前記本体ケースに着脱自在な固着手段により交換自在に装着されていることを特徴とする。
【００２２】
請求項８に記載のドライヤーの発明は、一端に吸入口及び他端に吹出口を有する筒状体からなる本体ケースの内部に、通風路を設けたドライヤーにおいて、前記本体ケースは、前記通風路を仕切り部により、第１吹出口を有する第１通風路と、第２吹出口を有する第２通風路とに仕切るとともに、前記仕切り部の一部にシャッタを設け、前記第１通風路には温風を発生させる温風発生装置、前記第２通風路には銀イオンミストを発生させるミスト発生装置をそれぞれ配設して、これらの温風発生装置及びミスト発生装置並びにシャッタを制御装置により制御して、前記第１吹出口から温風又は前記第２吹出口から銀イオンを含むミストを吐出させることを特徴とする。
【００２３】
また、請求項９の発明は、請求項８に記載のドライヤーにおいて、前記温風発生装置は、前記吸入口から空気を吸引して前記第１吹出口から吐出させる第１送風手段と、前記第１送風手段から送風された空気を所定温度に加温する加熱手段と、マイナスイオンを発生するイオン発生器とを有し、前記ミスト発生装置は、内部に水及び銀ペレットを収容し出口に吸水部材を装着したタンクと、前記吸水部材に接触して該吸水部材から漏出する水をミスト化して噴出させる超音波励振器とを有していること特徴とする。
【００２４】
請求項１０の発明は、請求項９に記載のドライヤーにおいて、前記タンクは、前記本体ケースに着脱自在な固着手段により交換自在に装着されていることを特徴とする。
【発明の効果】
【００２５】
本発明は上記構成を備えることにより、以下の優れた効果を奏する。すなわち、請求項１の発明によれば、吹出口から銀イオンを含んだミストが吐出されるので、この銀イオンミストを皮膚、毛髪或いは衣服などの対象物に当てることにより、銀イオンが有する作用によって毛髪、皮膚或いは衣服などを効率よく除菌、抗菌或いは消臭することができる。また、除菌、抗菌及び消臭と共に髪の手入れができるヘアドライヤーとしても使用できる。なお、ここでの除菌は対象物から菌を除いて減らすことであり、また抗菌は細菌の増殖を阻止することであり、さらに消臭はタバコの臭いなどを消すことである。
【００２６】
請求項２の発明によれば、ミスト発生装置は、内部に水及び銀ペレットを収容し出口に吸水部材を装着したタンクと、この吸水部材に接触して該吸水部材から漏出する水をミスト化して噴出させる超音波励振器とで簡単に構成できる。
【００２７】
請求項３の発明によれば、タンクを本体ケースに着脱自在な固着手段により交換自在に装着することにより、タンク内の水が無くなったときに簡単に交換ができる。
【００２８】
請求項４〜７の発明によれば、本体ケース内の通風路を第１、第２通風路に仕切ることにより、吹出口から温風又は銀イオンミスト並びに銀イオンミストを含む温風を選択して吐出させることができる。銀イオンミストを皮膚、毛髪或いは衣服などの対象物に当てることにより、銀イオンが有する作用によって毛髪、皮膚或いは衣服などを効率よく除菌、抗菌或いは消臭することができる。また、除菌、抗菌及び消臭と共に髪の手入れができるヘアドライヤーとしても使用できる。特に、請求項６の発明のように、第２吹出口の開口面積を第１吹出口の開口面積より大きくすれば、第２通風路からのみ銀イオンミストを含む温風を送風させる場合は、第２吹出口の開口面積を大きくすると第２吹出口から大量に送風させることができ、また、第１、第２通風路からの送風を併用する場合は、銀イオンを含むミストとの混合比率を多くすることが可能になる。さらに、請求項７の発明のように、タンクを本体ケースに着脱自在な固着手段により交換自在に装着することにより、水がなくなったときの交換が簡単になる。
【００２９】
請求項８〜１０の発明によれば、第１、第２通風路の仕切り部にシャッタを設けることにより、吹出口から温風又は銀イオンミスト及び銀イオンミストを含む温風を選択して吐出させることができる。特に、シャッタ操作により第１通風路の第１送風手段で第２通風路へ送風できるので、第２通風路の送風手段が不要となり構成が簡単になる。また、銀イオンミストを含む温風を吐出させることにより、上記の作用効果を奏することが可能になる。
【発明を実施するための最良の形態】
【００３０】
以下、図面を参照して本発明の最良の実施形態を説明する。但し、以下に示す実施形態は、本発明の技術思想を具体化するためのドライヤーとしてヘアドライヤーを例示するものであって、本発明をこのドライヤーに特定することを意図するものではなく、特許請求の範囲に含まれるその他の実施形態のものも等しく適応し得るものである。
【実施例１】
【００３１】
図１を参照して、本発明の実施例１に係るヘアドライヤー１の構成を説明する。なお、図１は本発明の実施例１に係るヘアドライヤーの概略断面図、図２は図１のヘアドライヤー内部のミスト発生装置を構成する超音波励振器を示し、図２（ａ）は超音波励振器の圧電振動子の側面図、図２（ｂ）は図２（ａ）のＸ部分を拡大した平面図である。
【００３２】
ヘアドライヤー１は、一端に吸入口２ａを他端に吹出口２ｂをそれぞれ設け、内部に空洞３を有する筒状体からなる本体ケース２を有し、この本体ケース２は電気絶縁性の合成樹脂成型体で形成されている。なお、この本体ケース２は、吸入口２ａ側の一端に手で握って本体ケース２を支持・操作する把持部（図示省略）が一体或いは折り畳み自在に固定されている。この把持部は、片手で握れる程度の筒状体からなり、本体ケースと同じ電気絶縁性の合成樹脂成型体で形成されている。加えて、この把持部には、その内部に各種制御装置が収容され、外壁面には操作スイッチなどが装着されている。また、本体ケース２の先端には、送風方向をコントロールするキャップ１１が着脱自在に装着されている。
【００３３】
空洞３内には、吸入口２ａから空気を吸引して吹出口２ｂから吐出させるファン４と、このファン４を駆動するモータ５と、銀イオンミストを生成して噴出させるミスト発生装置Ｓｗとが配設されている。これらの部品及び装置は、不図示の支持手段を用いて本体ケース２に固定されている。また、ファン４とモータ５とで送風手段を構成している。
【００３４】
このミスト発生装置Ｓｗは、内部に水及び銀ペレットが収容され出口に吸水部材（フィルタ）７が装着されたタンク６と、この吸水部材７に接触して該吸水部材７から漏出する水をミスト化して噴出させる超音励振器８とで構成されている。
【００３５】
タンク６には、その内部に所定量（例えば５ｃｃ）の水と銀ペレットとが収容されている。銀ペレットは、例えば銀材を不織布で覆ったもので形成されている。銀ペレットの銀材は、除菌、抗菌及び無臭効果を奏する性質を有している。したがって、水を貯留したタンク６内に銀ペレットを入れると、タンク６内の水が腐敗したり或いは悪臭を発生したりすることがなくなる。また、このタンク６から流出される水は、銀ペレットから発生する銀イオンが含有された銀イオン水となる。タンク６は、一端に水の流出口が形成されている。この流出口には、多孔質の吸水部材７が装着されている。タンク６の流出口に吸水部材７を装着すると、タンク６内の銀イオン水がこの吸水部材７を伝わって外部へ漏出される。この漏出を容易にするために、タンク６の一部に負圧弁が設けられている。また、タンク６は本体ケース２に着脱自在に装着されている。このように着脱自在とすると、このタンク６は水がなくなったときに簡単に交換できる。
【００３６】
超音波励振器８は、図２（ａ）に示すように、内部に貫通穴１０1が形成されたドーナツ状の圧電素子１０と、この圧電素子１０の表裏面に装着される一対の電極９Ａ、９Ｂとを有し、一方の電極９Ａは圧電素子１０の貫通穴１０1に対応する箇所が開口し、他方の電極９Ｂはこの貫通穴を覆う形状を有し、両電極９Ａ、９Ｂ間に圧電素子１０が挟持固定された構成となっている。電極９Ｂは、図２（ｂ）に示すように、圧電素子１０の貫通穴１０1と対応する箇所に複数個の微小穴９Ｂ1が形成されている。圧電素子１０の外径直径Ｄ1は例えば１０ｍｍ、貫通穴１０1の内径Ｄ2は例えば５．０ｍｍであり、電極９Ｂの肉厚ｄ１は、例えば０．３〜０．１７ｍｍ、微小穴の直径ｄ２は７〜９μｍに設定されている。この超音波励振器８は、空洞３内に微小穴９Ｂ1が形成された箇所がタンク６の出口に装着された吸水部材７に当接するように設置される。なお、一対の電極９Ａ、９Ｂは、不図示の電源に接続されている。
【００３７】
この構成の超音波励振器８は、不図示の電源から電極９Ａ、９Ｂ間に所定の高周波電圧が印加されると、圧電素子１０が励振し電極９Ｂが振動して超音波が発生する。この超音波振動により、電極９Ｂの微小穴９Ｂ1を設けた箇所が銀イオン水を漏出している吸水部材７に接触及び離反を繰り返す。この電極９Ｂの接触及び離反の繰り返しにより、微小穴９Ｂ1から所定粒径のミストが生成されて噴出される。電極９Ｂの微小穴９Ｂ1は、所定の間隔をあけて略均等に設けてあるので、これらの微小穴９Ｂ1から粒径が略均一な微小ミストが生成されて噴出される。
【００３８】
次に、この構成のヘアドライヤー１の使用方法を説明する。なお、このヘアドライヤー１は、把持部に装着した不図示の制御装置及びスイッチの制御により使用が行われる。
【００３９】
詳しくは、不図示の電源スイッチをオンすると共に、不図示の銀イオンミストを送風するスイッチをオンする。先ず、モータスイッチのオンにより、モータ５が駆動されてファン４が回転し、吸入口２ａから空洞３へ空気が送風される。また、銀ミスト送風スイッチのオンにより、超音励振器８が振動して、銀イオンミストが生成されて噴出される。
【００４０】
この構成のヘアドライヤーによると、吹出口から銀イオンを含んだミストが吐出されるので、この銀イオンミストを皮膚、毛髪或いは衣服などの対象物に当てることにより、銀ミストが有する作用により、毛髪、皮膚或いは衣服などを効率よく除菌、抗菌或いは消臭することができる。なお、ここでの除菌は、対象物から菌を除いて減らすことであり、また抗菌は、細菌の増殖を阻止することである。このヘアドライヤーは、除菌、抗菌及び消臭ができる手軽に持ち運びが簡単にできるハンディータイプのドライヤーとしても利用することができる。
【実施例２】
【００４１】
次に、図３を参照して、本発明の実施例２に係るヘアドライヤー１Ａの構成を説明する。なお、図３は本発明の実施例２に係るヘアドライヤーの概略断面図である。
【００４２】
ヘアドライヤー１Ａは、一端に吸入口を他端に吹出口をそれぞれ設け、内部に空洞３を有する筒状体からなる本体ケース２を有し、この本体ケース２は、その内部が仕切り板Ｓで２つの第１、第２空洞３Ａ、３Ｂに仕切られて、これらの第１、第２空洞３Ａ、３Ｂに吸入口から吸引された空気を吹出口から吐出させる第１、第２通風路Ｖ1、Ｖ2が形成された構成を有している。この本体ケース２は、電気絶縁性の合成樹脂成型体で形成されている。なお、この本体ケース２は、実施例１のヘアドライヤー１と同様に、一端に把持部（図示省略）を有し、この把持部には各種制御装置が収容され、外壁面には操作スイッチなどが装着されている。また、本体ケース２の先端には、送風方向をコントロールできるキャップ１１が着脱自在に装着されている。
【００４３】
第１空洞３Ａは、一端に第１吸入口２Ａ1及び他端に第１吹出口２Ａ2が設けられている。そしてその内部には、第１吸入口２Ａ1から空気を吸引して第１吹出口２Ａ2から吐出させる第１ファン４Ａと、この第１ファン４Ａを駆動する第１モータ５Ａと、送風された空気を加温するヒータＨと、マイナスイオンを発生させるイオン発生器１２とが配設されている。これらの部品は、不図示の支持手段を用いて本体ケース２及び仕切り板Ｓなどに固定されている。第１ファン４Ａと第１モータ５Ａとで第１送風手段を構成している。
【００４４】
イオン発生器１２は、不図示の電源と、この電源に一端が接続された第１スイッチと、この第１スイッチの他端に接続された高電圧発生部と、この高電圧発生部に接続された一対のイオン端子と、を有している。このイオン発生器１２は、第１スイッチをオンすると、高電圧発生部から高電圧が一対のイオン端子間に印加されて、これらのイオン端子間でコロナ放電が発生するようになっている。なお、ヘアドライヤーの作動時、このコロナ放電発生部分には加温された空気が吹き付けられて、第１吹出口２Ａ2からマイナスイオンを含んだ温風が吐出される。
【００４５】
第２空洞３Ｂは、一端に第２吸入口２Ｂ1及び他端に第２吹出口２Ｂ2が設けられている。その内部には、第２吸入口２Ｂ1から空気を吸引して第２吹出口２Ｂ2から吐出させる第２ファン４Ｂと、この第２ファン４Ｂを駆動する第２モータ５Ｂと、銀イオンミストを生成し発生させるミスト発生装置Ｓｗと、が配設されている。
【００４６】
ミスト発生装置Ｓｗは、内部に水及び銀ペレットが収容され出口に吸水部材７が装着されたタンク６と、この吸水部材７に接触して該吸水部材７から漏出する水をミスト化して噴出させる超音励振器８とを有し、実施例１のミスト発生装置と同じ構成となっている。これらの部品は、不図示の着脱自在な固着手段を用いて本体ケース２及び仕切り板Ｓに固定されている。また、第２ファン４Ｂと第２モータ５Ｂとで第２送風手段を構成している。
【００４７】
次に、この構成のヘアドライヤー１Ａの使用方法を説明する。なお、このヘアドライヤー１Ａは、把持部に装着した不図示の制御装置及びスイッチにより制御して、以下の（イ）〜（ハ）に示す３つの状態のいずれかが選択されて使用される。
（イ）マイナスイオンを含む温風の送風
マイナスイオンを含む温風の送風する場合には、不図示の電源スイッチをオンすると共に、不図示のマイナスイオン送風スイッチをオンする。このスイッチのオンにより、第１モータ５Ａ、第１ファン４Ａ、ヒータＨ及び第１スイッチがオンされて、第１吸入口２Ａ1から第１空洞３Ａ内の第１通風路Ｖ1を介して第１吹出口２Ａ2へマイナスイオンを含む温風が吐出される。すなわち、第１空洞３Ａ内では、第１モータ５Ａにより第１ファン４Ａを回転させると、この第１ファン４Ａの回転により第１吸入口２Ａ1から空気を吸い込み、この空気をヒータＨで加温し、加温された空気にイオン発生器１２からのマイナスイオンが混入されて第１吹出口２Ａ2から吐出される。この吐出されたマイナスイオンを含む温風を毛髪に当てて乾燥或いはトリートメントが行われる。
（ロ）銀イオンミストの送風
銀イオンミストの送風を行う場合には、不図示の電源スイッチをオンすると共に、不図示の銀ミスト送風スイッチをオンする。先ず、電源スイッチのオンにより、第２モータ５Ｂが駆動されて第２ファン４Ｂが回転し、第２吸入口２Ｂ1から第２空洞３Ｂへ空気が送風される。また、銀ミスト送風スイッチのオンにより、超音励振器８が振動して、銀イオンミストが生成されて噴出される。すなわち、第２吸入口２Ｂ1から第２空洞３Ｂ内の第２通風路Ｖ2を介して第２吹出口２Ｂ2へ銀イオンミストが送風される。
【００４８】
この構成のヘアドライヤーによると、吹出口から銀イオンを含んだミストが吐出されるので、この銀イオンミストを皮膚、毛髪或いは衣服などに当てることにより、銀ミストが有する作用によって毛髪、皮膚或いは衣服などを効率よく除菌、抗菌或いは消臭することができる。
（ハ）上記（イ）、（ロ）の同時送風
この場合の使用は、上記（イ）、（ロ）を同時にしたものとなる。すなわち、第１モータ５Ａ、第１ファン４Ａ、ヒータＨ及び第１スイッチと、第２モータ５Ｂ、第２ファン４Ｂ及び銀ミスト送風スイッチのオン動作が同時になされることにより、銀イオンミストと温風とが混在した状態で吐出されることになる。
【実施例３】
【００４９】
次に、図４を参照して、本発明の実施例３に係るヘアドライヤーの構成を説明する。なお、図４は、本発明の実施例３に係るヘアドライヤーの概略断面図である。
【００５０】
このヘアドライヤー１Ｂは、上記実施例２のヘヤドライヤー１Ａに比して吹出口の形状が異なる以外は同じ構成を備えているので、共通する構成要素には同じ符号を付して重複説明を省略し、異なる構成についてのみ説明する。
【００５１】
ヘアドライヤー１Ｂは、上記実施例２のヘヤドライヤー１Ａの吹出口の形状を変更して、第２吹出口２Ｂ2の開口面積を第１吹出口２Ａ2の開口面積より大きくしたものである。この構成により、第２通風路Ｖ2からのみ弱酸性ミストを含む温風を送風させる場合は、第２吹出口２Ｂ2の開口面積を大きくすると、第２吹出口２Ｂ2から大量に送風させることができ、また、第１、第２通風路Ｖ1、Ｖ2からの送風を併用する場合は、弱酸性を含むミストとの混合比率を多くすることが可能になる。
【実施例４】
【００５２】
次に、図５を参照して、本発明の実施例４に係るヘアドライヤー１Ｃの構成を説明する。なお、図５は本発明の実施例４に係るヘアドライヤーを示し、図５（ａ）はシャッタを閉じた状態の概略断面図、図５（ｂ）はシャッタを開いた状態の概略断面図である。
【００５３】
このヘアドライヤー１Ｃは、上記実施例２のヘヤドライヤー１Ａに比して主にシャッタ１３を設けた構成及びそれに付随する構成が異なる以外は同じ構成を備えているので、共通する構成要素には同じ符号を付して重複説明を省略し、異なる構成についてのみ説明する。
【００５４】
本実施例４のヘアドライヤー１Ｃは、本体ケース２内の通風路が仕切り板Ｓで仕切られることで第１、第２通風路Ｖ1、Ｖ2が形成されており、さらに、仕切り板Ｓの端部に第１、第２通風路Ｖ1、Ｖ2への送風を切り換えるシャッタ１３が設けられた構成となっている。このシャッタ１３は、不図示の制御装置により開閉される。
【００５５】
第１通風路Ｖ1には、吸入口２ａから空気を吸引して第１吹出口２Ａ2から吐出させる第１ファン４Ａ及び第１モータ５Ａからなる第１送風手段と、この第１送風手段から送風された空気を所定温度に加温するヒータＨと、マイナスイオンを発生するイオン発生器１２とを有する温風発生手段が配設されている。第２通風路Ｖ2には、銀イオンミストを生成し発生させるミスト発生装置Ｓｗと、が配設されている。
【００５６】
これらの温風発生装置及びミスト発生装置並びにシャッタ１３は制御装置により開閉制御され、第１吹出口２Ａ2からマイナスイオンを含む温風又は第２吹出口２Ｂ2から銀イオンを含むミストが吐出される。
【００５７】
この構成によれば、第１、第２通風路Ｖ1、Ｖ2の仕切り部分にシャッタ１３を設けることにより、第１、第２吹出口２Ａ2、２Ｂ2からマイナスイオンを含む温風又は銀イオンを含むミストを選択して吐出させることができる。特に、シャッタ１１の操作により第１通風路Ｖ1に設けられた第１送風手段で第２通風路Ｖ2へ送風できるので、第２通風路Ｖ2の送風手段が不要となり、構成が簡単になる。また、銀イオンミストを吐出させることもできるので、上記各実施例と同様の効果を奏することも可能となる。
【図面の簡単な説明】
【００５８】
【図１】図１は本発明の実施例１に係るヘアドライヤーの概略断面図である。
【図２】図２は図１内のミスト発生装置を構成する超音波励振器を示し、図２（ａ）は超音波励振器の圧電振動子及び振動板の側面図、図２（ｂ）は図２（ａ）の振動板の平面図である。
【図３】図３は本発明の実施例２に係るヘアドライヤーの概略断面図である。
【図４】図４は本発明の実施例３に係るヘアドライヤーの概略断面図である。
【図５】図５は本発明の実施例４に係るヘアドライヤーを示し、図５（ａ）はシャッタを閉じた状態の概略断面図、図５（ｂ）はシャッタを開いた状態の概略断面図である。
【図６】図６は従来技術のヘアドライヤーの概略断面図である。
【符号の説明】
【００５９】
１、１Ａ〜１Ｃ  ヘアドライヤー
２              本体ケース
３              空洞
３Ａ、３Ｂ      第１、第２空洞
２ａ            吸入口
２ｂ            吹出口
２Ａ1          第１吸入口
２Ａ2          第１吹出口
２Ｂ1          第２吸入口
２Ｂ2          第２吹出口
４              ファン
４Ａ            第１ファン
４Ｂ            第２ファン
５              モータ
５Ａ            第１モータ
５Ｂ            第２モータ
６              タンク
７              吸水部材
８              超音波励振器
１０            圧電素子
１１            キャップ
１２            イオン発生器
１３            シャッタ
Ｈ              ヒータ
Ｓ              仕切り板
Ｓｗ            ミスト発生装置
【図１】
2009136305.tif 000003
【図２】
2009136305.tif 000004
【図３】
2009136305.tif 000005
【図４】
2009136305.tif 000006
【図５】
2009136305.tif 000007
【図６】
2009136305.tif 000008